【事件の表示】
　特願２０１５−１５１４７８号「ＬＥＤ照明装置」拒絶査定不服審判事件〔平成２９年　２月　９日出願公開、特開２０１７−　３３７３２号、請求項の数（２）〕について、次のとおり審決する。
【結　論】
　原査定を取り消す。
　本願の発明は、特許すべきものとする。
【理　由】
第１ 手続の経緯
　本願は、平成２７年７月３１日の出願であって、平成３１年４月２２日付けで拒絶理由が通知され、令和１年７月５日付けで意見書及び手続補正書が提出され、同年９月６日付けで最後の拒絶理由が通知され、同年１０月２９日付けで意見書及び手続補正書が提出されたが、令和２年３月１２日付けで令和１年１０月２９日付けの手続補正が却下されるとともに拒絶査定（以下「原査定」という。）がされ、これに対し、令和２年６月９日に拒絶査定不服審判が請求されると同時に手続補正がされたものである。
第２　令和２年３月１２日付けの補正の却下の決定及び原査定の概要
１．令和２年３月１２日付けの補正の却下の決定は次のとおりである。
　令和１年１０月２９日付けの手続補正書における請求項１に係る補正は、願書に最初に添付された明細書、特許請求の範囲又は図面に記載した事項の範囲内においてしたものではないから、特許法第１７条の２第３項の規定に違反するものである。
２．原査定の概要は次のとおりである。
　本願の請求項１に係る発明は、その出願前に日本国内又は外国において、頒布された以下の引用文献１〜２に記載された発明に基いて、本願の請求項２に係る発明は、以下の引用文献１〜３に記載された発明に基いて、その出願前にその発明の属する技術の分野における通常の知識を有する者（以下「当業者」という。）が容易に発明をすることができたものであるから、特許法第２９条第２項の規定により特許を受けることができない。
　＜引用文献等一覧＞
　　１．特開２０１４−１２０３１６号公報
　　２．特開２０１５−５６９７４号公報
　　３．特開２０１２−２８２９２号公報
第３ 本願発明
　本願の請求項１〜２に係る発明（以下「本願発明１〜２」という。）は、令和２年６月９日の手続補正により補正された特許請求の範囲の請求項１〜２に記載された事項により特定される、次のとおりの発明である。
「　【請求項１】
　外部の商用電源から供給される交流電力を所定の電圧の直流電力である駆動電力に変換し、複数個のＬＥＤが直列に接続されたＬＥＤ列に一定電流を供給してＬＥＤ列の輝度を一定に保持する定電流制御用の駆動ＩＣに上記駆動電力を供給すると共に、上記商用電源からの電力によってバックアップ電源を充電すると共に、商用電源が停電した際に、バックアップ電源に充電した電力を上記駆動ＩＣに供給して、ＬＥＤ列の点灯を継続するＬＥＤ照明装置において、上記駆動ＩＣは上記のように駆動電力が供給されるものであり、この駆動ＩＣは供給された駆動電力の電圧を昇圧するものであり、かつ、この駆動ＩＣは入力される電圧値によってＬＥＤ列に供給する電流値を変化させるアジャスト端子を有しており、停電が生じていない状態では上記駆動電力の電圧値を分圧してアジャスト端子に入力し、停電が発生した状態では、上記バックアップ電源の電圧を分圧してアジャスト端子に入力させ、このバックアップ電源の電圧の低下に連動して上記ＬＥＤ列に供給する電流値を減少させ、ＬＥＤ列の輝度を低下させることを特徴とするＬＥＤ照明装置。
 　【請求項２】
　上記バックアップ電源はコンデンサで構成されていることを特徴とする請求項１に記載のＬＥＤ照明装置。」
第４ 引用文献の記載事項、認定事項及び引用発明
１　引用文献１について
ア　記載事項
　原査定の拒絶の理由に引用された上記引用文献１には、図面とともに次の事項が記載されている（なお、下線は当審で付した。以下同様である。）。
（１ａ）「【００１７】
　本発明の実施の形態に係る照明装置を備えた照明システム１は、列車の室内を照射するためのシステムである。照明システム１は、図１に示すように、客室灯３００と非常灯４００とを備えている。外部電力が供給されている時（以下、『通常時』という。）、照明システム１は、客室灯３００と非常灯４００の両方を使って室内に光を供給する。また、照明システム１は、非常灯４００に電力を供給するバッテリ１００を備えていて、外部電力が途絶えた時（以下、『非常時』という。）には、バッテリ１００に蓄えられた電力を使って非常灯４００を動作させる。
【００１８】
　ここで『外部電力』とは、照明装置の設置対象となる設備（例えば、列車、自動車、自転車、船舶、飛行機、ヘリコプター等の輸送機器や、オフィスビル等の建物）の外部にある電力供給設備（例えば、発電所、変電所、発電機、蓄電設備等）から架線や電力ケーブル等の電線を介して供給される電力のことをいう。」
（１ｂ）「【００２０】
　バッテリ１００は、鉛電池、ニッケルカドミウム電池、ニッケル水素電池、リチウムイオン電池等の二次電池（蓄電池）から構成される。バッテリ１００は、入力端子１１０と、出力端子１２０を備えている。入力端子１１０は、電力線６０１と接続されている。電力線６０１はパンタグラフ等の集電装置を介して架線に接続されていて、バッテリ１００は、架線および電力線６０１を介して外部の電力供給設備から外部電力を受給する。また、出力端子１２０は、電力線６０２を介して電源切替装置２００と接続されている。バッテリ１００は、非常時に備え、通常時に外部電力を蓄える。」
（１ｃ）「【００２２】
　電源切替装置２００の内部には、スイッチ２３１と、スイッチ２３２とが配置されている。入力端子２１１は出力端子２２１およびスイッチ２３１の一端に、出力端子２２１は入力端子２１１およびスイッチ２３１の一端に、それぞれ接続されている。また、入力端子２１２はスイッチ２３１の一端に、出力端子２２１はスイッチ２３１およびスイッチ２３２の他端に、それぞれ接続されている。電源切替装置２００は、内部に不図示のプロセッサを有していて、そのプロセッサを使ってスイッチ２３１およびスイッチ２３１のＯＮ／ＯＦＦを自在に変更可能になっている。なお、電源切替装置２００は、入力端子２１１に入力された交流電力を直流電力に変換して出力してもよいし、入力端子２１２に入力された直流電力を交流電力に変換して出力してもよい。客室灯３００や非常灯４００の仕様に合わせて、適宜、変更可能である。」
（１ｄ）「【００２４】
　非常灯４００は、客室灯３００と同様に、車両の室内を照らすための室内灯である。非常灯４００は、１車両あたり例えば４つ程度設置されており、通常時および非常時に室内に光を供給する。非常灯４００は、客室灯３００と同様の形状をしていて、通常時には、客室灯３００と同様に室内灯として機能する。外部電力が停止すると、非常灯４００はバッテリ１００からの電力で室内に光を供給する。非常灯４００は、図３に示すように、照明器具４１０と、ＬＥＤランプ５００とから構成される。
【００２５】
　照明器具４１０は、ＬＥＤランプ５００を装着するための灯具である。照明器具４１０は、例えば、ＡＣ−ＤＣコンバータやＤＣ−ＤＣコンバータ等を内蔵していて、電源切替装置２００から供給された電力を所定電圧の直流電力に変換してＬＥＤランプ５００に供給する。照明器具４１０は、直管形蛍光ランプを装着する蛍光灯具と同様の外見をしている。照明器具４１０は、蛍光灯具と同様に、直管形のランプを支持しＬＥＤランプ５００に電力を供給する２組の口金装着部（口金装着部４１１ａ、４１１ｂ、口金装着部４１２ａ、４１２ｂ）を有している。なお、照明器具４１０は、例えば、従来の蛍光灯具を改造する等により製作されてもよい。例えば、改造予定の蛍光灯具がインバータ式の灯具なのであれば、蛍光灯具に内蔵されている高周波発生回路（インバータ）を迂回する配線工事をする等により製作される。」
（１ｅ）「【００２９】
　ＬＥＤ５３０は、２組のＬＥＤ（ＬＥＤ５３１、ＬＥＤ５３２）から構成される。ＬＥＤ５３１およびＬＥＤ５３２は、それぞれ、ＬＥＤの消灯・点灯の単位としてグループ化された複数個のＬＥＤ素子から構成される。ＬＥＤ５３１およびＬＥＤ５３２は、それぞれ３個以上のＬＥＤ素子から構成され、各組のＬＥＤ素子は直列接続されている。ＬＥＤ５３１およびＬＥＤ５３２それぞれのＬＥＤ素子は、透光管５１０内部に配置されたＬＥＤ設置用の基板（以下、『ＬＥＤ基板』という。）の上に透光管５１０の長手方向に沿って一列に配置されている。なお、ＬＥＤ５３１およびＬＥＤ５３２は平行に配置されている 。」
（１ｆ）「【００３１】
　電流制御回路５４１は、２組のＬＥＤの一方のＬＥＤ５３１に流れる電流を制御する降圧チョッパ回路である。電流制御回路５４１の出力端子にはＬＥＤ５３１が接続されており、照明器具４１０から口金５２０を介して供給された電圧（図５に示すＶｄｄ）を降圧してＬＥＤ５３１に供給する。ＬＥＤ５３１を構成する複数個のＬＥＤ素子は直列に接続されていて、両端の電圧（Ｖ１−Ｖ２間電圧）が所定電圧以上になると発光を開始する（以下、発光を開始する電圧を『順方向電圧Ｖｚ』という）。」
（１ｇ）「【００４５】
　電源切替装置２００は、通常時、図２に示すように、スイッチ２３１をＯＮ、スイッチ２３２をＯＦＦして、客室灯３００および非常灯４００の両方に対し、架線からの外部電力を供給している。電源切替装置２００は、不図示の電圧計や電流計等で、常時、入力端子２１１から入力される電力をモニタしていて、外部電力が途絶えたら、図６に示すように、スイッチ２３１をＯＦＦ、スイッチ２３２をＯＮして、非常灯４００に供給される電力をバッテリ１００からの電力に切り替える。
【００４６】
　ＬＥＤランプ５００の制御部５４３は、ＦＢ１端子に入力された電圧値と電流検出抵抗５４１ｅの抵抗値とを基に、随時、ＬＥＤ５３１に流れている電流の大きさを算出している。また、制御部５４３は、ＦＢ２端子に入力された電圧値と電流検出抵抗５４２ｅの抵抗値とを基に、随時、ＬＥＤ５３２に流れている電流の大きさを算出している。制御部５４３は、ＬＥＤ５３１およびＬＥＤ５３２に流れる電流が一定になるように、ゲート端子に印加するパルス波のデューティー比を適宜変更しながら、スイッチング素子５４１ａおよびスイッチング素子５４２ａをスイッチング制御する。
【００４７】
　また、制御部５４３は、ＭＯＮ端子に入力された入力端子電圧Ｖｄｄの値を随時取得している。外部電力が停止し、バッテリ１００から電力供給が開始されると、バッテリ１００の消費に伴い、入力端子電圧Ｖｄｄは、図７に示すように、徐々に低下する。」
（１ｈ）「【００５５】
　例えば、上述の実施の形態では、制御部５４３は、ＬＥＤ５３０に流れる電流が一定になるように、スイッチング素子５４１ａおよびスイッチング素子５４２ａをスイッチング制御したが、ＬＥＤ５３０の照度が、例えば図１０（Ａ）に示すように、入力端子電圧Ｖｄｄの低下に追従して低下するように、ＬＥＤ５３０に流れる電流を徐々に減少させていってもよい。例えば、ＬＥＤランプ５００に、入力端子電圧Ｖｄｄの『計測値』と、ＬＥＤ５３１やＬＥＤ５３２に流す電流の『目標値』と、の対応関係を示すデータを格納した、 例えば、ＲＯＭ（Read Only Memory）やＲＡＭ（Random Access Memory）等から構成される記憶部を設置する。そして、制御部５４３は、電圧計５４４で計測した計測値（電圧値）を取得するたびに、取得した計測値に対応する目標値（電流値）を記憶部から取得する。さらに、制御部５４３は、ＬＥＤ５３１およびＬＥＤ５３２に流れる電流が取得した目標値と一致するように、ゲート端子に印加するパルス波のデューティー比を適宜変更しながら、スイッチング素子５４１ａおよびスイッチング素子５４２ａをスイッチング制御する。なお、記憶部に格納するデータ（計測値と目標値の対応関係）の内容は、従来の蛍光灯と同様の照度低下となるように調整されたデータ内容であってもよい。」
（１ｉ）「【００６５】
　また、図５の例では、電流制御回路５４１および電流制御回路５４２の構成が降圧チョッパ回路であるものとして説明したが、電流制御回路５４１および電流制御回路５４２の構成は降圧チョッパ回路に限定されず、例えば、昇圧チョッパ回路、フライバックコンバータ、フォワードコンバータ等の他のスイッチング制御型のＤＣ−ＤＣコンバータであってもよい。また、ＤＣ−ＤＣコンバータの前段に整流平滑回路を設け、ＬＥＤランプ５００に交流電力を直接入力できるようにしてもよい。また、ＬＥＤランプ５００に高周波発生回路（インバータ）で発生した高周波をキャンセルするフィルタを設け、ＬＥＤランプ５００をインバータ式の蛍光灯具に直接装着できるようにしてもよい。
【００６６】
　また、図５の例では、電圧レベル計測部として機能する電圧計５４４を設けたが、制御部５４３を電圧レベル計測部として機能させることも可能である。例えば、制御部５４３の入力端子とＶｄｄ端子を導線で接続し、制御部５４３に入力されたＶｄｄ電圧をＡ／Ｄ変換して入力端子電圧の電圧値を取得してもよい。」
（１ｊ）引用文献１には、以下の図が示されている。
【図２】
【図３】
【図４】
【図５】
【図６】
イ　認定事項
（ａ）段落【００１７】の「外部電力が供給されている時（以下、『通常時』という。）、照明システム１は、客室灯３００と非常灯４００の両方を使って室内に光を供給する。」、段落【００１８】の「ここで『外部電力』とは、・・・外部にある電力供給設備・・・から架線や電力ケーブル等の電線を介して供給される電力のことをいう。」なる記載を踏まえると、照明システム１には、
外部にある電力供給設備から供給される外部電力
（ｂ）図２から、電源切替装置２００の入力端子２１１には、車両から電力線６０１を介して電力が供給されることが看取でき、段落【００２２】には「電源切替装置２００は、入力端子２１１に入力された交流電力を」と記載されているから、上記（ａ）の
外部にある電力供給設備から供給される外部電力
交流電力である
（ｃ）上記（ｂ）を踏まえつつ、図２〜３、５を見ると、非常灯４００の照明器具４１０には、上記（ａ）の「外部にある電力供給設備から供給される外部電力」が供給されており、さらに、段落【００２５】には「照明器具４１０は、・・・電源切替装置２００から供給された電力を所定電圧の直流電力に変換してＬＥＤランプ５００に供給する。」と記載されているから、照明器具４１０が、上記（ａ）の
上記外部にある電力供給設備から供給される外部電力
所定電圧の直流電力に変換し
（ｄ）段落【００３１】の「電流制御回路５４１は、２組のＬＥＤの一方のＬＥＤ５３１に流れる電流を制御する降圧チョッパ回路である。」及び「ＬＥＤ５３１を構成する複数個のＬＥＤ素子は直列に接続されていて」なる記載、段落【００４６】の「制御部５４３は、ＬＥＤ５３１およびＬＥＤ５３２に流れる電流が一定になるように、ゲート端子に印加するパルス波のデューティー比を適宜変更しながら、スイッチング素子５４１ａおよびスイッチング素子５４２ａをスイッチング制御する。」なる記載及び図５から、
電流制御回路５４１
複数個のＬＥＤ素子が直列に接続されたＬＥＤ５３１に流れる電流が一定になるように制御する
　また、図５から、上記（ｃ）の照明器具４１０で変換された
所定電圧の直流電力を、電流制御回路５４１に供給
（ｅ）段落【００２０】の「バッテリ１００は、架線および電力線６０１を介して外部の電力供給設備から外部電力を受給する。・・・バッテリ１００は、非常時に備え、通常時に外部電力を蓄える。」なる記載及び図２から、上記（ａ）の
外部にある電力供給設備から供給される外部電力によってバッテリ１００に外部電力を蓄える
（ｆ）段落【００１７】の「本発明の実施の形態に係る照明装置を備えた照明システム１は、列車の室内を照射するためのシステムである。」及び「外部電力が途絶えた時（以下、『非常時』という。）には、バッテリ１００に蓄えられた電力を使って非常灯４００を動作させる。」なる記載、段落【００４５】の「外部電力が途絶えたら、図６に示すように、スイッチ２３１をＯＦＦ、スイッチ２３２をＯＮして、非常灯４００に供給される電力をバッテリ１００からの電力に切り替える。」なる記載、段落【００２４】の「非常灯４００は、１車両あたり例えば４つ程度設置されており、通常時および非常時に室内に光を供給する。・・・外部電力が停止すると、非常灯４００はバッテリ１００からの電力で室内に光を供給する。」なる記載及び図４〜５から、
照明システム１
外部電力が途絶えた時には、バッテリ１００に蓄えられた電力を照明器具４１０を介して電流制御回路５４１に供給して、ＬＥＤ５３１の点灯を継続する
（ｇ）上記（ｄ）でも述べたとおり、図５から、
電流制御回路５４１は
所定電圧の直流電力が供給されるものであ
（ｈ）段落【００６５】の「電流制御回路５４１および電流制御回路５４２の構成は降圧チョッパ回路に限定されず、例えば、昇圧チョッパ回路・・・であってもよい。」なる記載から、
電流制御回路５４１は供給された直流電力の電圧を昇圧するもの
（ｉ）段落【００４７】の「制御部５４３は、ＭＯＮ端子に入力された入力端子電圧Ｖｄｄの値を随時取得している。」なる記載、段落【００５５】の「入力端子電圧Ｖｄｄの低下に追従して低下するように、ＬＥＤ５３０に流れる電流を徐々に減少させていってもよい。」なる記載及び図５から、
電流制御回路５４１を制御する制御部５４３は入力された入力端子電圧Ｖｄｄの低下に追従してＬＥＤ５３１に流れる電流を徐々に減少させるＭＯＮ端子を有して
（ｊ）図５から、電流制御回路５４１を制御する制御部５４３のＭＯＮ端子に、照明器具４１０からの電力の電圧値を入力していることが看取でき、段落【００６６】の「制御部５４３の入力端子とＶｄｄ端子を導線で接続し、制御部５４３に入力されたＶｄｄ電圧をＡ／Ｄ変換して入力端子電圧の電圧値を取得してもよい。」なる記載及び上記（ｃ）も踏まえると、
通常時は外部にある電力供給設備から供給される外部電力を変換した所定電圧の直流電力の電圧値をＭＯＮ端子に入力し
（ｋ）図５から、電流制御回路５４１を制御する制御部５４３のＭＯＮ端子に、照明器具４１０からの電力の電圧値を入力していることが看取でき、段落【００６６】の「制御部５４３の入力端子とＶｄｄ端子を導線で接続し、制御部５４３に入力されたＶｄｄ電圧をＡ／Ｄ変換して入力端子電圧の電圧値を取得してもよい。」なる記載、段落【００４７】の「外部電力が停止し、バッテリ１００から電力供給が開始されると、バッテリ１００の消費に伴い、入力端子電圧Ｖｄｄは、図７に示すように、徐々に低下する。」なる記載及び上記（ｆ）も踏まえると、
外部電力が途絶えた時には、バッテリ１００から照明器具４１０を介して供給される電圧をＭＯＮ端子に入力させ
（ｌ）段落【００４７】の「バッテリ１００の消費に伴い、入力端子電圧Ｖｄｄは、図７に示すように、徐々に低下する。」なる記載、段落【００５５】の「入力端子電圧Ｖｄｄの低下に追従して低下するように、ＬＥＤ５３０に流れる電流を徐々に減少させていってもよい。」及び「制御部５４３は、ＬＥＤ５３１およびＬＥＤ５３２に流れる電流が取得した目標値と一致するように、ゲート端子に印加するパルス波のデューティー比を適宜変更しながら、スイッチング素子５４１ａおよびスイッチング素子５４２ａをスイッチング制御する。」なる記載から、
バッテリ１００の電圧の低下に伴い、ＬＥＤ５３１に供給する電流を減少させ
ウ　引用発明
　上記ア、イから、引用文献１には次の発明（以下「引用発明」という。）が記載されていると認められる。
「外部にある電力供給設備から供給される外部電力である交流電力を所定電圧の直流電力に変換し、複数個のＬＥＤ素子が直列に接続されたＬＥＤ５３１に流れる電流が一定になるように制御する電流制御回路５４１に所定電圧の直流電力を供給すると共に、上記外部にある電力供給設備から供給される外部電力によってバッテリ１００に外部電力を蓄えると共に、外部電力が途絶えた時には、バッテリ１００に蓄えられた電力を照明器具４１０を介して電流制御回路５４１に供給して、ＬＥＤ５３１の点灯を継続する照明システム１において、電流制御回路５４１は、所定電圧の直流電力が供給されるものであり、電流制御回路５４１は供給された直流電力の電圧を昇圧するものであり、かつ、電流制御回路５４１を制御する制御部５４３は入力された入力端子電圧Ｖｄｄの低下に追従してＬＥＤ５３１に流れる電流を徐々に減少させるＭＯＮ端子を有しており、通常時は外部にある電力供給設備から供給される外部電力を変換した所定電圧の直流電力の電圧値をＭＯＮ端子に入力し、外部電力が途絶えた時には、バッテリ１００から照明器具４１０を介して供給される電圧をＭＯＮ端子に入力させ、バッテリ１００の電圧の低下に伴い、ＬＥＤ５３１に供給する電流を減少させる照明システム１。」
２　引用文献２について
ア　記載事項
　原査定の拒絶の理由に引用された上記引用文献２には、次の事項が記載されている。
（２ａ）「【０００７】
　
抵抗Ｒ１およびＲ２は、出力電圧ＶＯＵＴを分圧し、電圧検出信号ＶＯＶＰを生成する。
３　引用文献３について
ア　記載事項
　原査定の拒絶の理由に引用された上記引用文献３には、次の事項が記載されている。
（３ａ）「【００２１】
　
蓄電器３Ｃは、
電気二重層コンデンサなどを直接あるいは昇圧形双方向ＤＣＤＣコンバータを介して、停電動作時における非常灯機能回路部３に接続する。
第５ 対比・判断
１．本願発明１について
(１)対比
　本願発明１と引用発明とを対比する。
ア　引用発明の「外部にある電力供給設備から供給される外部電力である交流電力」と、本願発明１の「外部の商用電源から供給される交流電力」とは、「外部の電源から供給される交流電力」という点で共通する。
イ　引用発明の「所定電圧の直流電力に変換」することは、本願発明１の「所定の電圧の直流電力である駆動電力に変換」することに相当する。
ウ　引用発明の「複数個のＬＥＤ素子が直列接続されたＬＥＤ５３１に流れる電流が一定になるように制御する電流制御回路５４１」と、本願発明１の「複数個のＬＥＤが直列に接続されたＬＥＤ列に一定電流を供給してＬＥＤ列の輝度を一定に保持する定電流制御用の駆動ＩＣ」とは、引用発明において「ＬＥＤ５３１に流れる電流が一定になるように制御」した場合に、ＬＥＤ５３１の輝度が一定に保持されることは明らかであるから、両者は、「複数個のＬＥＤが直列に接続されたＬＥＤ列に一定電流を供給してＬＥＤ列の輝度を一定に保持する定電流制御用の回路」という点で共通する。
エ　引用発明の「所定電圧の直流電力を供給する」ことは、上記イを踏まえると、本願発明１の「上記駆動電力を供給する」ことに相当する。
オ　引用発明の「バッテリ１００」は、段落【００１７】に「外部電力が途絶えた時（以下、『非常時』という。）には、バッテリ１００に蓄えられた電力を使って非常灯４００を動作させる。」と記載されているから、本願発明１の「バックアップ電源」に相当する。
カ　上記ア、オを踏まえると、引用発明の「上記外部にある電力供給設備から供給される外部電力によってバッテリ１００に外部電力を蓄える」ことと、本願発明１の「上記商用電源からの電力によってバックアップ電源を充電する」こととは、「上記外部の電源からの電力によってバックアップ電源を充電する」点で共通する。
キ　引用発明の「ＬＥＤ５３１」は、「複数個のＬＥＤ素子が直列接続された」ものであるから、本願発明１の「ＬＥＤ列」に相当し、以下同様に、「外部電力が途絶えた時には」は、「停電した際に」に、「蓄えられた電力」は「充電した電力」に、それぞれ相当する。
ク　上記ア、ウ、オ、キを踏まえると、引用発明の「外部電力が途絶えた時には、バッテリ１００に蓄えられた電力を照明器具４１０を介して上記電流制御回路５４１に供給して、ＬＥＤ５３１の点灯を継続する」ことと、本願発明１の「商用電源が停電した際に、バックアップ電源に充電した電力を上記駆動ＩＣに供給して、ＬＥＤ列の点灯を継続する」こととは、「外部の電源が停電した際に、バックアップ電源に充電した電力を上記電流制御用の回路に供給して、ＬＥＤ列の点灯を継続する」点で共通する。
ケ　引用発明の「照明システム１」は、「ＬＥＤ５３１」を有するから、本願発明１の「ＬＥＤ照明装置」に相当する。
コ　上記イ、ウ、エを踏まえると、引用発明の「電流制御回路５４１は、所定電圧の直流電力が供給されるものであ」ることと、本願発明１の「上記駆動ＩＣは上記のように駆動電力が供給されるものであ」ることとは、「上記定電流制御用の回路は上記のように駆動電力が供給されるものであ」る点で共通する。
サ　上記イ、ウ、エを踏まえると、引用発明の「電流制御回路５４１は供給された直流電力の電圧を昇圧するものであ」ることと、本願発明１の「この駆動ＩＣは供給された駆動電力の電圧を昇圧するものであ」ることとは、「この定電流制御用の回路は供給された駆動電力の電圧を昇圧するものであ」る点で共通する。
シ　上記イ、ウ、キを踏まえると、引用発明の「電流制御回路５４１を制御する制御部５４３は入力された入力端子電圧Ｖｄｄの低下に追従してＬＥＤ５３１に流れる電流を徐々に減少させるＭＯＮ端子を有して」いることと、本願発明１の「この駆動ＩＣは入力される電圧値によってＬＥＤ列に供給する電流値を変化させるアジャスト端子を有して」いることとは、「この定電流制御用の回路は入力される電圧値によってＬＥＤ列に供給する電流値を変化させる端子を有して」いる点で共通する。
ス　引用発明の「通常時」は、段落【００１７】に「外部電力が供給されている時（以下、『通常時』という。）」と記載されているから、本願発明１の「停電が生じていない状態」に相当する。よって、上記イ、シも踏まえると、引用発明の「通常時は外部にある電力供給設備から供給される外部電力を変換した所定電圧の直流電力の電圧値をＭＯＮ端子に入力」することと、本願発明１の「停電が生じていない状態では上記駆動電力の電圧値を分圧してアジャスト端子に入力」することとは、「停電が生じていない状態では上記駆動電力に係る電圧値を端子に入力」する点で共通する。
セ　上記オ、キ、シを踏まえると、引用発明の「外部電力が途絶えた時には、バッテリ１００から照明器具４１０を介して供給される電圧をＭＯＮ端子に入力させ」ることと、本願発明１の「停電が発生した状態では、上記バックアップ電源の電圧を分圧してアジャスト端子に入力させ」ることとは、「停電が発生した状態では、上記バックアップ電源に係るに関する電圧を端子に入力させ」る点で共通する。
ソ　引用発明の「ＬＥＤ５３１に供給する電流を減少させる」ことは、結果として、ＬＥＤ５３１の輝度を低下させることは明らかである。そうすると、上記オ、キ、ク、シ、セも踏まえると、引用発明の「外部電力が途絶えた時には、バッテリ１００から照明器具４１０を介して供給される電圧をＭＯＮ端子に入力させ、バッテリ１００の電圧の低下に伴い、ＬＥＤ５３１に供給する電流を減少させる」ことと、本願発明１の「停電が発生した状態では、上記バックアップ電源の電圧を分圧してアジャスト端子に入力させ、このバックアップ電源の電圧の低下に連動して上記ＬＥＤ列に供給する電流値を減少させ、ＬＥＤ列の輝度を低下させる」こととは、「停電が発生した状態では、上記バックアップ電源に係る電圧を端子に入力させ、このバックアップ電源の電圧の低下に連動して上記ＬＥＤ列に供給する電流値を減少させ、ＬＥＤ列の輝度を低下させる」点で共通する。
　したがって、本願発明１と引用発明との間には、次の一致点、相違点があると認める。
〔一致点〕
「外部の電源から供給される交流電力を所定の電圧の直流電力である駆動電力に変換し、複数個のＬＥＤが直列に接続されたＬＥＤ列に一定電流を供給してＬＥＤ列の輝度を一定に保持する定電流制御用の回路に上記駆動電力を供給すると共に、上記外部の電源からの電力によってバックアップ電源を充電すると共に、外部の電源が停電した際に、バックアップ電源に充電した電力を上記定電流制御用の回路に供給して、ＬＥＤ列の点灯を継続するＬＥＤ照明装置において、上記定電流制御用の回路は上記のように駆動電力が供給されるものであり、この定電流制御用の回路は供給された駆動電力の電圧を昇圧するものであり、かつ、この定電流制御用の回路は入力される電圧値によってＬＥＤ列に供給する電流値を変化させる端子を有しており、停電が生じていない状態では上記駆動電力に係る電圧値を端子に入力し、停電が発生した状態では、上記バックアップ電源に係る電圧を端子に入力させ、このバックアップ電源の電圧の低下に連動して上記ＬＥＤ列に供給する電流値を減少させ、ＬＥＤ列の輝度を低下させるＬＥＤ照明装置。」
〔相違点〕
〔相違点１〕
「外部の電源から供給される交流電力」について、本願発明１は、「商用電源から供給される」のに対し、引用発明は、「電力供給設備から供給される」点。
〔相違点２〕
「定電流制御用の回路」及び「端子」について、「定電流制御用の回路」が、本願発明１は、「駆動ＩＣ」であるのに対し、引用発明は「制御部５４３」と「電流制御回路５４１」とを合わせたものであり、「端子」が、本願発明１は、「アジャスト端子」であって、上記「駆動ＩＣ」が有するものあるのに対し、引用発明は、「ＭＯＮ端子」であって、上記「制御部５４３」が有するものである点。
〔相違点３〕
「停電が生じていない状態」における「端子に入力」する「駆動電力に係る電圧値」について、本願発明１は、「駆動電圧の電圧値を分圧して」アジャスト端子に入力しているのに対し、引用発明は、「所定電圧の直流電力の電圧値を」（駆動電圧の電圧値を分圧せずに）ＭＯＮ端子に入力している点。
〔相違点４〕
「停電が発生した状態」における「端子に入力させ」る「バックアップ電源に係る電圧」について、本願発明１では、「バックアップ電源の電圧を分圧して」アジャスト端子に入力させるのに対し、引用発明は、「バッテリ１００」（バックアップ電源）「から照明器具４１０を介して供給される電圧を」ＭＯＮ端子に入力させる点。
（２）相違点についての判断
　事案に鑑み、まず上記相違点２について検討する。
（ア）「定電流制御用の回路」として、相違点２に係る本願発明１の「駆動ＩＣ」を用いることは、引用発明、引用文献２〜３のいずれにも記載も示唆もされていない。
（イ）補足すると、引用発明は、「定電流制御用の回路」として、「制御部５４３」と「電流制御回路５４１」とを合わせたものを有するといえる。このうち、「制御部５４３」については、引用文献１の段落【００４１】に「制御部５４３は、プロセッサ等の処理装置から構成される。」と記載されており、ＩＣとすることが一般的なプロセッサであることが記載されているものの、「電流制御回路５４１」についてはＩＣとすることは記載されておらず、「制御部５４３」と「定電流制御回路５４１」とを合わせたものをＩＣとすることも記載されていない。
（ウ）また、上記第４の２〜３に示したとおり、引用文献２には、「抵抗Ｒ１およびＲ２は、出力電圧ＶＯＵＴを分圧し、電圧検出信号ＶＯＶＰを生成する」こと、要するに、分圧した電圧を検出することが記載され、引用文献３には、「蓄電器３Ｃは、・・・電気二重層コンデンサなどを・・・停電動作時における非常灯機能回路部３に接続する」こと、要するに、蓄電器をコンデンサとすることが記載されているものの、いずれの文献にも、上記「定電流制御用の回路」を、「駆動ＩＣ」とする構成は、記載されていない。
（エ）さらに、「端子」についても、本願発明１の「アジャスト端子」は、「駆動ＩＣ」が有するものであるから、上記のとおり、「駆動ＩＣ」が、引用発明、引用文献２〜３のいずれにも記載も示唆もされていない以上、引用発明において、「ＭＯＮ端子」を、「駆動ＩＣ」が有する「アジャスト端子」とすることが容易想到であったとはいえない。
（オ）よって、相違点２に係る本願発明１の構成は、当業者であっても、引用発明及び引用文献２〜３に記載された事項に基いて、当業者が容易に想到し得たものとはいえない。
（カ）したがって、その余の相違点について検討するまでもなく、本願発明１は、当業者であっても、引用発明及び引用文献２〜３に記載された事項に基いて容易に発明をすることができたものとはいえない。
２　本願発明２にについて
　本願発明２は、本願発明１の発明特定事項を全て含みさらに限定したものであるから、本願発明１と同様の理由により、当業者であっても、引用発明及び引用文献２〜３に記載された事項に基いて容易に発明をすることができたものとはいえない。
第６ 原査定について
　審判請求時の補正により、本願発明１〜２は「この駆動ＩＣは供給された駆動電圧の電圧を昇圧するものであり」という事項を有するものとなっており、これに伴い、定電流制御用の回路が、「アジャスト端子」を有する「駆動ＩＣ」である点が特定されたため、当業者であっても、拒絶査定において引用された引用文献１〜３に基いて、容易に発明をすることができたものとはいえない。
　したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。